(57)【特許請求の範囲】
【請求項１】
筒状のグリップと、
振動板を備えたマイクロホンユニットと、
前記マイクロホンユニットを保持するユニットホルダと、
前記ユニットホルダの背面側に配置され、柔軟性を有する部材で構成され、前記ユニットホルダを支持する背面支持部材と、
前記ユニットホルダから前記背面支持部材へ向けて突出し、前記背面支持部材に対して突起側面にて接するとともに円周方向に等間隔に配置された複数の突出接触部材と、
を備えたことを特徴とするマイクロホン装置。
【請求項２】
前記背面支持部材への前記突出接触部材の接触圧を調整する接触圧調整機構を備えたことを特徴とする請求項１に記載のマイクロホン装置。
【請求項３】
前記接触圧調整機構は、前記グリップ内での前記ユニットホルダの回動方向の固定位置を調整する機構であることを特徴とする請求項２に記載のマイクロホン装置。
【請求項４】
前記突出接触部材は、前記背面支持部材に接する部分に溝を有することを特徴とする請求項１ないし３のいずれかに記載のマイクロホン装置。
【請求項５】
前記突出接触部材は、前記マイクロホンユニットの中心軸に対して斜めに設けられていることを特徴とする請求項１ないし４のいずれかに記載のマイクロホン装置。
【請求項６】
前記突出接触部材は、前記中心軸に対して半径方向に傾斜していることを特徴とする請求項５に記載のマイクロホン装置。
【請求項７】
前記突出接触部材は、前記中心軸に対して半径方向と交差する方向に傾斜していることを特徴とする請求項５または６に記載のマイクロホン装置。
【発明の詳細な説明】
【技術分野】
【０００１】
本発明は、タッチノイズを低減したマイクロホン装置に関する。
【背景技術】
【０００２】
従来、筒状のグリップにマイクロホンユニットを備えたハンドタイプのマイクロホン装置が各種の用途に用いられている。この種のマイクロホン装置では、タッチノイズの低減が重要なテーマになる。タッチノイズとは、グリップを手で持つときの振動に起因するノイズである。タッチノイズ低減構造としては、フローティングタイプとキャンセルタイプの２種類の構造が知られている。
【０００３】
図８および図９は、フローティングタイプのマイクロホン装置の一例を示している。マイクロホン装置１０１は、グリップ１０３と、マイクロホンユニット１０５と、マイクロホンユニット１０５を保持するユニットホルダ１０７とを備えている。マイクロホンユニット１０５は、グリップ上端から突き出しており、図示されないネットで覆われている。マイクロホンユニット１０５は振動板を内蔵し、音圧に応じた振動板の振動が電気信号へと変換される。
【０００４】
ユニットホルダ１０７の内部はキャビティになっている。ユニットホルダ１０７は、クッションリング１１１、密閉リング１１３および背面支持板１１５によって支えられた状態でグリップ１０３に収納されている。クッションリング１１１および密閉リング１１３はソルボセンイからなり、それぞれ、ユニットホルダ１０７の上部および下部を取り囲んでいる。背面支持板１１５はゴム製であり、密閉リング１１３よりさらに下方に位置し、ユニットホルダ１０７の下側の凸部を支持している。クッションリング１１１、密閉リング１１３および背面支持板１１５の振動絶縁効果によって、タッチノイズが軽減されている。
【０００５】
この例のように、フローティングタイプのマイクロホン装置は、振動を伝達しにくい部材を使ったフローティング構造によってマイクロホンユニットを支持する。フローティングタイプのマイクロホン装置は、比較的簡単にタッチノイズ低減効果を得られることから一般に普及している。
【０００６】
図１０は、キャンセルタイプのマイクロホン装置を示している。図９ではユニットホルダ１０７の下端部が閉じており、下端部の周囲が密閉リング１１３で囲まれている。一方、図１０のマイクロホン装置１２１では、ユニットホルダ１２３の下端部が開いており、下端部に密閉板１２５が取り付けられている。密閉板１２５には複数の貫通穴１２７が設けられており、ユニットホルダ１２３の内部空間は下方のグリップ内空間とつながっている。グリップ１０３を叩く振動によって振動板が動くとき、それと同時に振動板の背部気室に圧力が生じ、この圧力が振動板に作用する。振動板の慣性力が、背部気室の圧力によって相殺され、これによりタッチノイズが低減する。
【０００７】
この例のように、キャンセルタイプのマイクロホン装置は、ノイズ要因の振動を背部気室の圧力で相殺することによってタッチノイズを低減する。キャンセルタイプのマイクロホン装置は、振動そのものを減らすので理論的には優れている。また、キャンセルタイプのマイクロホン装置では、ユニットホルダ１２３の内部空間がグリップ内空間と連通しており、したがって、振動板の背面側の空間容積が大きい。背面側の実質的なキャビティサイズを大きくできるので、低音域の音質を向上でき、マイク性能上も有利である。
【０００８】
従来文献としては、フローティングタイプのマイクロホン装置は例えば特許文献１に開示されている。また、キャンセルタイプのマイクロホン装置は例えば非特許文献１に開示されている。
【特許文献１】特開平５−２４４６７８号公報（図１等）
【非特許文献１】武子ほか「ボーカル用ダイナミックマイクロホンのタッチノイズの解析」、日本音響学会講演論文集、平成５年１０月、ｐ．５３９−５４０
【発明の開示】
【発明が解決しようとする課題】
【０００９】
しかしながら、従来のマイクロホン装置においては、上述のフローティングタイプまたはキャンセルタイプの構造によってタッチノイズを低減できるものの、性能向上に対する高い要求に応えるためには、さらなるノイズ低減が必要であるという問題があった。
【００１０】
特に、キャンセルタイプのマイクロホン装置は、構成部品の精度および組込み形態等の多くのパラメータ要素がノイズ低減効果に関与しており、これら各種パラメータ要素の高い精度が要求される。そのために、キャンセルタイプのマイクロホン装置は、理論的には優れていたとしても、量産においても満足できるノイズ低減効果を得るのは容易でなかった。そこで、キャンセルタイプのマイクロホン装置のノイズ低減効果を向上することが望まれる。
【００１１】
本発明は、従来の問題を解決するためになされたものであり、その目的は、タッチノイズを低減できるマイクロホン装置を提供することにある。
【課題を解決するための手段】
【００１２】
本発明のマイクロホン装置は、筒状のグリップと、振動板を備えたマイクロホンユニットと、前記マイクロホンユニットを保持するユニットホルダと、前記ユニットホルダの背面側に配置され、柔軟性を有する部材で構成され、前記ユニットホルダを支持する背面支持部材と、前記ユニットホルダから前記背面支持部材へ向けて突出し、前記背面支持部材に対して突起側面にて接する突出接触部材と、を備えている。
【００１３】
この構成により、突出接触部材の突起側面が背面支持部材と接触して接触抵抗が生じ、この接触抵抗が、タッチノイズの原因であるマイクロホンユニットのローリングおよびピッチングを低減し、したがってタッチノイズが低減する。
【００１４】
また、本発明のマイクロホン装置は、前記背面支持部材への前記突出接触部材の接触圧を調整する接触圧調整機構を備えている。この構成により、マイクロホン装置を組み立てた後に、部品交換等を行うことなく、接触圧を調整して、タッチノイズをさらに低減することができる。各種部品精度等のパラメータ要素が影響するキャンセルタイプのマイクロホン装置においても、接触圧の調整によりノイズ低減効果を効果的に得ることができる。
【００１５】
また、本発明のマイクロホン装置において、前記接触圧調整機構は、前記グリップ内での前記ユニットホルダの回動方向の固定位置を調整する機構である。この構成により、ユニットホルダを回動して、突出接触部材が柔軟な背面支持部材に回動方向に接する接触圧を調整できる。ユニットホルダの回動という簡単な作業で接触圧を調整することができる。
【００１６】
また、本発明のマイクロホン装置では、複数の突出接触部材が円周方向に等間隔に配置されている。この構成により、マイクロホンユニットのローリングおよびピッチングを効果的に抑えることができ、タッチノイズを低減できる。
【００１７】
また、本発明のマイクロホン装置において、前記突出接触部材は、前記背面支持部材に接する部分に溝を有する。この構成により、時間経過に伴う接触抵抗の変化を低減することができる。
【００１８】
また、本発明のマイクロホン装置において、前記突出接触部材は、前記マイクロホンユニットの中心軸に対して斜めに設けられている。この構成により、マイクロホンユニットのローリングおよびピッチングを効果的に抑えることができ、タッチノイズを低減できる。
【００１９】
また、本発明のマイクロホン装置において、前記突出接触部材は、前記中心軸に対して半径方向に傾斜している。典型的には、前記ユニットホルダ側端部より前記背面支持部材側端部が前記中心軸から外側に離れている。この構成により、マイクロホンユニットのローリングおよびピッチングを効果的に抑えることができ、タッチノイズを低減できる。
【００２０】
また、本発明のマイクロホン装置において、前記突出接触部材は、前記中心軸に対して半径方向と交差する方向に傾斜している。この構成により、マイクロホンユニットのローリングおよびピッチングを効果的に抑えることができ、タッチノイズを低減できる。
【発明の効果】
【００２１】
本発明は、ユニットホルダから背面支持部材へ向けて突出して背面支持部材に対して突起側面にて接する突出接触部材を設けたことにより、接触抵抗の作用でマイクロホンユニットのローリングおよびピッチングを低減して、タッチノイズを低減することができるという効果を有するマイクロホン装置を提供することができる。
【発明を実施するための最良の形態】
【００２２】
以下、本発明の実施の形態に係るマイクロホン装置について、図面を用いて説明する。本実施の形態では、マイクロホン装置が、キャンセルタイプのダイナミックマイクロホンである。
【００２３】
本発明の第１の実施の形態に係るマイクロホン装置を図１および図２に示す。図において、マイクロホン装置１は、筒状のハウジングであるグリップ３と、マイクロホンユニット５と、マイクロホンユニット５を保持するユニットホルダ７を備えている。ユニットホルダ７は、グリップ３に収納されており、かつ、マイクロホンユニット５をグリップ３の上端から突き出した位置に保持している。マイクロホンユニット５は、ネット９およびその内側のフィルタ１１によって覆われている。
【００２４】
以下の説明では、マイクロホン装置１におけるネット９の側を「上」といい、ネット９と反対の側を「下」と呼ぶ。
【００２５】
グリップ３は、下側の主グリップ１３と上側の中継グリップ１５とで構成されており、主グリップ１３と中継グリップ１５はねじ構造によって結合さている。中継グリップは真鍮製である。
【００２６】
マイクロホンユニット５は振動板を備えており、振動板の縦振動（上下方向の振動）を電気信号に変換する。より詳細には、振動板にはコイルが固定されており、コイルの周囲に磁界がある。振動板が振動するとコイルが磁力線を横切り、コイルの起電力が音声の電気信号となる。マイクロホンユニット５の内部構造は図１では示されていない。
【００２７】
ユニットホルダ７は、アルミニウムまたは真鍮製である。ユニットホルダ７は、ホルダ筒部２１とホルダ底板２３で構成されており、ホルダ底板２３がホルダ筒部２１の下端にねじ構造によって結合され、これにより、ユニットホルダ７はカップ型の形状を有しており、ユニットホルダ７の内部はキャビティになっている。
【００２８】
ユニットホルダ７は、ねじ２５によってマイクロホンユニット５と結合されている。板２７が、ユニットホルダ７の内面に設けられた凸部２９の下面に接しており、ねじ２５が板２７の穴に通されて、マイクロホンユニット５の中央の突起に設けられたねじ穴に締め付けられている。
【００２９】
次に、ユニットホルダ７をグリップ３内で支える構造について説明する。まず、ユニットホルダ７の筒部の外面は、上部のクッションリング３１、中央部の側面クッション３３および下部の密閉リング３５で囲まれている。クッションリング３１および密閉リング３５はソルボセンイからなり、側面クッション３３はブチルゴム製である。ユニットホルダ７の筒部がクッションリング３１、側面クッション３３および密閉リング３５に支えられて、グリップ３の中継グリップ１５に保持されており、これにより防振効果が得られる。また、密閉リング３５は空気漏れを防止している。
【００３０】
また、ホルダ底板２３の中央部から下方へは、棒状の中央脚部４１が突出している。中央脚部４１には、ベーク材のカラー４３が嵌められている。さらに、中央脚部４１には、カラー４３の下から、ブチルゴム製の背面支持板４５が嵌められている。さらに、背面支持板４５の下から、押えナット４７が、中央脚部４１の外面のおねじ部に締め付けられており、これにより、背面支持板４５の中央部がユニットホルダ７に固定されている。
【００３１】
背面支持板部４１の縁部は、中継グリップ１５の下部内面に設けられた凸部４９の下面に接している。そして、真鍮製の押えリング５１が、背面支持板４５の下にて中継グリップ１５の内面に固定されている。押えリング５１の外周のおねじと中継グリップ１５の内面のめねじを利用して、押えリング５１が中継グリップ１５にねじ込まれており、これにより、背面支持板４５の縁部が中継グリップ１５に固定されている。
【００３２】
押えナット４７および押えリング５１の下側にはゴム板５３が配置され、ゴム板５３の下からアルミニウム製の基板台５５がユニットホルダ７にねじ込まれている。基板台５５の中央穴と中央脚部４１の外面のおねじを利用して、中央脚部４１に基板台５５が締め付けられており、これにより、ゴム板５３が押さえられ、押さえリング４９がストッパとして機能し、マイクロホンユニット５の飛び出しが防がれている。また、基板台５５には、ねじ５６を利用して基板５７が取り付けられている。
【００３３】
上記構成において、ユニットホルダ７とマイクロホンユニット５は、背面支持板４５と上述のクッションリング３１、側面クッション３３および密閉リング３５によってグリップ３の壁面から離れた非接触状態で支持されている。また、ユニットホルダ７の内部空間は、下方のグリップ内空間に連通しており、これによりキャンセルタイプの構造が実現されている。この連通構造のために、ホルダ底板２３に貫通穴（図示せず）が設けられており、また、背面支持板４５にも貫通穴４６（図２）が設けられている。
【００３４】
また、マイクロホンユニット５のリード線５８は、ユニットホルダ７の内部を通り、中央脚部４１の内部を通り抜けて、基板台５５に接続されている。
【００３５】
次に、本実施の形態に特徴的な突出接触部材について説明する。本実施の形態では、図１および図２のフィン６１が、突出接触部材に相当する。本実施の形態では、船舶等で見られるピッチング低減用のフィンを応用していることから、フィンという表現を使っている。図示のように、２本のフィン６１が、ユニットホルダ７から背面支持板４５へ向けて突出している。２本のフィン６１は、ユニットホルダ７の中心軸を挟んで互いに反対側に配置されている。フィン６１は断面が円形の棒状の部材である。フィン６１は背面支持板４５より大きな剛性を有しており、このような剛性が実現される材質で作られている。フィン６１は典型的には金属製であり、本実施の形態ではフィン６１は真鍮製である。
【００３６】
フィン６１の上端は、フィン６１の外面のおねじとホルダ底板１３のめねじ穴からなるねじ構造により、ホルダ底板１３へと固定されている。フィン６１の下部は、ゴム製の背面支持板４５に設けられた筒方向（上下方向）のフィン受入穴６３を通り抜けており、フィン６１の下端は背面支持板４５の下面から突き出ている。フィン６１の突起側面（突出部分の外面）は、フィン受入穴６３の内面に接している。フィン受入穴６３の内面は、フィン６１と接するフィン接触面６５である。
【００３７】
以上に本実施の形態に係るマイクロホン装置１の構成について説明した。次に、マイクロホン装置１におけるタッチノイズ低減の動作を説明する。
【００３８】
本実施の形態のマイクロホン装置１はキャンセルタイプであり、タッチノイズの要因になる振動が発生すると、この振動がマイクロホンユニット５の振動板に伝わると同時に、振動板の背部気室に圧力が生じ、この圧力によって振動板の慣性力が相殺されて、タッチノイズが低減する。本実施の形態では、特に、フィン６１がタッチノイズの原因になるマイクロホンユニット５のローリングおよびピッチングを低減でき、これによりタッチノイズが低減する。以下、フィン６１によるノイズ低減について詳細に説明する。
【００３９】
まず、マイクロホンユニット５のローリングおよびピッチングに関連して、タッチノイズのメカニズムを説明する。タッチノイズは、例えば、マイクロホンを手で握り返したときや、マイクロホンを手でこすったときに発生する。また、コード付きマイクでは、マイクコードをぶらぶらさせたり、物に当てたときにもタッチノイズが発生する。このとき、マイクロホンユニット５では、図２の矢印Ｘ、Ｙで示されるようなローリングおよびピッチングが生じる。ローリングおよびピッチングは、鉛直軸に対して前後方向および左右方向に揺動することをいう。ローリングおよびピッチングの力の成分は、平行成分（横振動）と直角成分（縦振動）とを含んでいる。直角成分（縦振動）が、マイクロホンユニット５の電気信号となって現れ、ノイズになる。
【００４０】
本実施の形態のマイクロホン装置１は、上記のタッチノイズを低減することができる。
本実施の形態では、２本のフィン６１がユニットホルダ７から背面支持板４５へ延び、背面支持板４５のフィン接触面６５に対して突起側面にて接しており、これにより、接触抵抗が生じる。接触抵抗は、接触によって生じる抵抗であって、フィン６１の外面に沿った方向（本実施の形態では上下方向）の動きに対する抵抗である。この接触抵抗が、タッチノイズの原因であるマイクロホンユニット５のローリングおよびピッチングを低減し、したがってタッチノイズが低減する。
【００４１】
上記のローリングおよびピッチングの低減作用において、フィン６１は、船舶等にてピッチング低減のために船体に取り付けられるフィンと同様に機能している。そこで、本実施の形態では、フィン６１という表現を使っている。ただし、船舶のフィンが水の抵抗を利用しているのと異なり、フィン６１は、背面支持板のゴム材との接触を利用している。したがってフィン６１は船舶のフィンのような薄型の形状を有している必要はない。フィン６１は、ローリングおよびピッチングを低減する接触抵抗を発生させることができる形状を有していればよく、フィン６１の断面形状は限定されない。本実施の形態のように、フィン６１の断面は円形でもよい。
【００４２】
次に、フィン６５と背面支持板４５の接触圧を調整する接触圧調整機構について説明する。本実施の形態では、マイクロホンユニット５、ユニットホルダ７、基板台５５およびフィン６１は、一体になって、中継グリップ１５に対して組み込まれている。したがって、これら構成は一体になって中継グリップ１５に対して回動することができる（図２の矢印Ａ）。この回動可能な構造は、中継グリップ１５内でのユニットホルダ７の回動方向の固定位置を調整可能にする。そして、このようなユニットホルダ７の回動構造が、接触圧調整機構に相当している。図３に示されるように、フィン６１がユニットホルダ７等と共に回動するとき、背面支持板４５は中継グリップ１５に対して固定されており、これにより、フィン６１とフィン接触面６５の接触圧が調整される。
【００４３】
接触圧の調整は、下記のようにして、マイクロホン装置１の組立後に行うことができる。接触圧を調整するときは、ネット９が外された状態で、マイクロホンユニット５が、図２の矢印Ａの方向に回される。マイクロホンユニット５は作業者により手で回されてよい。マイクロホンユニット５が回されると、マイクロホンユニット５と共にユニットホルダ７およびフィン６１が回り、図３に示されるようにフィン６１が背面支持板４５のフィン受入穴６３に押しつけられ、フィン受入穴６３が変形して、フィン６１とフィン接触面６５の接触圧が変化する。背面支持板４５が柔らかいので、マイクロホンユニット５、ユニットホルダ７およびフィン６１は、マイクロホンユニット５から手が離されたときの位置に摩擦力で保持される。それから、ネット９が再び取り付けられる。
【００４４】
接触圧の調整作業は下記のようにして行われてよい。まず、タッチノイズが検査される。例えば、親指でグリップ３が叩かれて、ノイズ音が観測される。ノイズ音が発生する場合、上記のようにしてネット９が外された状態で、マイクロホンユニット５が左右に回されて、接触圧が調整される。ノイズが十分に低減するように、マイクロホンユニット５の位置調整が繰り返される。この調整は、マイクロホン装置１の組立完了時に行われてよい。また、マイクロホン装置１が実際に使われて、時間経過に伴ってタッチノイズが増大したときに、メンテナンスのために調整作業が行われてよい。
【００４５】
上記の接触圧の調整機構は、本実施の形態のようなキャンセルタイプのマイクロホン装置１においては特に有利である。以下、この点について説明する。
【００４６】
キャンセルタイプの構造は、前述したように、振動板の振動をグリップ内の空気圧で相殺することによって振動低減効果を得る構造である。このキャンセルタイプは、振動そのものを減らすので理論的には優れている。また、キャンセルタイプでは、ユニットホルダ内部空間がグリップ内空間と連通しており、したがって、振動板の背面側の空間容積が大きく、低音域の音質を向上でき、マイク性能上も有利である。
【００４７】
その一方、キャンセルタイプでは、各種構成部品の精度および組込み形態等の多くのパラメータ要素がノイズ低減効果に関与しており、これら各種パラメータ要素の高い精度が要求される。このような要求に従来技術でもって応えようとすれば、マイクロホンの組立完了後に検査を行い、必要に応じて部品を交換してから再検査する必要がある。しかし、こうした作業には大きな手間がかかり、そのために、従来は量産において満足できるノイズ低減効果を得るのは容易でなかった。
【００４８】
本実施の形態は、上記のようなキャンセルタイプの問題を解決することができる。本実施の形態では、フィン６１の接触圧を調整し、マイクロホンユニット５のローリングおよびピッチングを低減できる。この調整作業は、結果的には、キャンセルタイプの各種パラメータ要素のばらつきの影響を接触圧の調整によって吸収する作業になっている。しかも、この調整作業は、マイクロホンの組立後にも上記の簡単な作業により、部品交換を行うこともなく簡単に行うことができる。したがって、本実施の形態は、キャンセルタイプのマイクロホン装置の問題点を解決して量産を容易にすることができる。
【００４９】
以上に本発明の第１の実施の形態に係るマイクロホン装置１について説明した。本実施の形態によれば、ユニットホルダ７から背面支持部材へ向けて延びて背面支持部材に対して突起側面にて接する突出接触部材を設けたことにより、接触抵抗の作用でマイクロホンユニット５のローリングおよびピッチングを低減して、タッチノイズを低減することができる。
【００５０】
本実施の形態は、従来のマイクロホン装置に突出接触部材を追加するという簡単な構成でもって、フィンの原理を利用してタッチノイズを大幅に低減でき、この点でも有利である。
【００５１】
また、本実施の形態のマイクロホン装置１は、背面支持部材への突出接触部材の接触圧を調整する接触圧調整機構を備えている。これにより、マイクロホン装置１を組み立てた後に、部品交換等を行うことなく、接触圧を調整して、タッチノイズをさらに低減することができる。各種部品精度等のパラメータ要素が影響するキャンセルタイプのマイクロホン装置１においても、接触圧の調整によりノイズ低減効果を効果的に得ることができる。
【００５２】
また、本実施の形態のマイクロホン装置１において、接触圧調整機構は、グリップ３内でのユニットホルダ７の回動方向の固定位置を調整する機構である。したがって、調整機構の構成が簡単でよく、また、ユニットホルダの回動という簡単な作業で接触圧を調整することができる。
【００５３】
また、本実施の形態では、複数の突出接触部材が円周方向に等間隔に配置されている。上記の例では、２本のフィン６１が１８０度離れて配置されている。このような構成により、マイクロホンユニット５のローリングおよびピッチングを効果的に抑えることができ、タッチノイズを低減できる。
【００５４】
上記の実施の形態は本発明の範囲内で当業者により変形可能である。例えば、本実施の形態では、キャンセルタイプのマイクロホン装置が主として説明されたが、本発明はその他の種類のマイクロホン装置にも適用されてよく、フローティングタイプのマイクロホン装置にも適用されてよい。フローティングタイプにおいても、上記の接触圧調整機能は、部品交換等の面倒な作業を行うことなく部品等のばらつきの影響を吸収することができ、ノイズ低減のために好適に作用する。
【００５５】
また、マイクロホンユニット５とユニットホルダ７が一体化されてもよい。また、突出接触部材であるフィンのみでマイクロホンユニット５が支持されてもよく、この場合、背面支持部材が中央脚部に固定されなくてよい。
【００５６】
次に、本発明の他の実施の形態について説明する。以下の実施の形態では、上述の実施の形態と同様の事項の説明は省略する。
【００５７】
図４は、本発明の第２の実施の形態に係るマイクロホン装置７１を示している。本実施の形態では、４本のフィン７３が設けられている。４本のフィン７３は、マイクロホンユニット５の中心軸を中心とした円に沿って９０度おきに等間隔に配置されている。
【００５８】
本実施の形態によれば、突出接触部材の数を増やしたので、より多くの方向の振動要因を低減でき、タッチノイズをさらに低減できると考えられる。
【００５９】
本発明の範囲で、突出接触部材の本数は任意であり、上記の４本または２本に限定されない。例えば、突出接触部材の本数は３本でもよく、５本以上でもよい。突出接触部材が３本の場合、それらは１２０度間隔で正三角形を形成するように配置されることが好適である。
【００６０】
図５は、本発明の第３の実施の形態に係るマイクロホン装置７５を示している。本実施の形態では、フィン７７の外面に溝７９が設けられている。
【００６１】
本実施の形態では、溝７９はスクリュー溝である。具体的には、フィン７７がボルトであってよい。ボルトの首下部分のおねじが、ユニットホルダ７のホルダ底板２３に締め付けられる。そして、ボルトの先端部分のおねじが、背面支持板４５のフィン受入穴６３のフィン接触面６５に接する。
【００６２】
本実施の形態では、突出接触部材の外面に溝が設けられているので、突出接触部材が背面支持部材のフィン接触面に食い込む。これにより、時間経過に伴う接触抵抗の変化を低減することができる。そして、一定のノイズ低減効果を長期間にわたって得ることができる。
【００６３】
本実施の形態では、フィン７７がボルトであり、フィン７７の外面の全体に溝７９が設けられていた。しかし、溝７９はフィン７７の全体に設けられていなくてもよい。少なくとも、フィン７７と背面支持板４５が接する部分に設けられていればよい。
【００６４】
また、本実施の形態では、フィン７７の本数が４本であったが、フィン数が限定されないことはもちろんである。フィン数は前述の実施の形態のように２本でもよい。
【００６５】
図６は、本発明の第４の実施の形態に係るマイクロホン装置８１を示している。本実施の形態では、２本のフィン８３が、マイクロホンユニット５の中心軸（グリップ３の上下方向）に対して斜めに設けられている。具体的には、フィン８３は、中心軸に対して半径方向に傾斜している。半径方向とは、中心軸からグリップ壁部へ向かう方向である。そして、フィン８３の背面支持板４５側の端部が、ユニットホルダ７側の端部よりも、中心軸から外側に離れている。フィン８３の適当な傾斜角は、３〜１５度であり、より好ましくは、５〜１０度である。本実施の形態の例では、傾斜角は５度である。また、本実施の形態でも、フィン８３にはスクリュー溝が設けられている。
【００６６】
本実施の形態は、フィン８３を傾けたことにより、フィン８３と背面支持板４５の接触長を長くできる。また、フィン８３を傾けたことにより、ローリングおよびピッチングの揺動方向に対向する適切な方向へと接触抵抗を作用させることができる。したがって、ローリングおよびピッチングの抑制効果を向上できる。
【００６７】
このようにして、本実施の形態によれば、マイクロホンユニットのローリングおよびピッチングを効果的に抑えることができ、タッチノイズを低減できる。
【００６８】
図７は、本発明の第５の実施の形態に係るマイクロホン装置８５を示している。本実施の形態でも、２本のフィン８７が、マイクロホンユニット５の中心軸（グリップ３の上下方向）に対して斜めに設けられている。ただし、図６の実施の形態と異なり、本実施の形態では、フィン８７が、中心軸に対して円周方向に傾斜している。円周方向は、中心軸を中心とした円の接線方向であり、上述の図６の実施の形態で説明した半径方向に対して交差（直交）する方向である。また、図示のように、２本のフィン８７は互いに反対方向に傾斜している。中心軸とフィン８７の上端固定点を通る面を基準とすると、フィン８７の適当な傾斜角は、３〜１５度であり、より好ましくは、５〜１０度である。本実施の形態の例では、傾斜角は５度である。また、本実施の形態でも、フィン８７にはスクリュー溝が設けられている。
【００６９】
本実施の形態は、フィン８７を傾けたことにより、フィン８７と背面支持板４５の接触長を長くできる。また、フィン８７を傾けたことにより、ローリングおよびピッチングの揺動方向に対向する適切な方向へと接触抵抗を作用させることができる。したがって、ローリングおよびピッチングの抑制効果を向上できる。
【００７０】
このようにして、本実施の形態によれば、マイクロホンユニットのローリングおよびピッチングを効果的に抑えることができ、タッチノイズを低減できる。
【００７１】
なお、図６と図７の実施の形態が組み合わされてもよい。この場合、突出接触部材は半径方向およびそれに交差する方向に傾斜する。この両方向の傾斜により、フィンは、マイクロホンユニットの中心軸とねじれた関係になる。両方向の傾斜によって、さらなるノイズ低減効果が期待できる。
【００７２】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【００７３】
以上のように、本発明にかかるマイクロホン装置は、タッチノイズを低減できるという効果を有し、ワイヤレスダイナミックマイクロホン等として有用である。
【図面の簡単な説明】
【００７４】
【図１】本発明の第１の実施の形態におけるマイクロホン装置の断面図
【図２】本発明の第１の実施の形態におけるマイクロホン装置の斜視図
【図３】フィン接触圧の調整方法を示す図
【図４】本発明の第２の実施の形態におけるマイクロホン装置の斜視図
【図５】本発明の第３の実施の形態におけるマイクロホン装置の斜視図
【図６】本発明の第４の実施の形態におけるマイクロホン装置の斜視図
【図７】本発明の第５の実施の形態におけるマイクロホン装置の斜視図
【図８】従来のマイクロホン装置を示す図
【図９】従来のフローティングタイプのマイクロホン装置を示す図
【図１０】従来のキャンセルタイプのマイクロホン装置を示す図
【符号の説明】
【００７５】
１  マイクロホン装置
３  グリップ
５  マイクロホンユニット
７  ユニットホルダ
９  ネット
１１  フィルタ
３１  クッションリング
３３  側面クッション
３５  密閉リング
４１  中央脚部
４５  背面支持板
６１  フィン
６３  フィン受入穴
６５  フィン接触面
【図１】
0004685654.tif 000002
【図２】
0004685654.tif 000003
【図３】
0004685654.tif 000004
【図４】
0004685654.tif 000005
【図５】
0004685654.tif 000006
【図６】
0004685654.tif 000007
【図７】
0004685654.tif 000008
【図８】
0004685654.tif 000009
【図９】
0004685654.tif 000010
【図１０】
0004685654.tif 000011